【手続補正書】
【提出日】平成20年1月21日(2008.1.21)
【手続補正１】
【補正対象書類名】明細書
【補正対象項目名】特許請求の範囲
【補正方法】変更
【補正の内容】
【特許請求の範囲】
【請求項１】
名前を自動的に調べる方法であって、
ａ）ディジットを入力するステップと、
ｂ）入力されたディジットの番号と複数のリストとを比較するステップであって、
１）各リストは少なくとも１の電話番号を含み、
２）リスト中の各電話番号は既定の最小番号以上で既定の最大番号以下のディジットの番号を有し、前記最大番号は以下リストの「サイズ」と呼ばれ、
３）各リストはどの他のリストのサイズとは異なるサイズを有する、ステップと、
ｃ）入力されたディジットの番号より大きいか或いは同じサイズの最小サイズのリストを選択するステップと、
ｄ）入力されたディジットに適合する選択されたディジットの電話番号に関して選択されたリストをサーチするステップと、
ｅ）サーチが完了すれば、どんな適合した番号も及び関連する名前を表示するステップと、
ｆ）サーチが完了しないならば、新たなディジットが入力されたか判断するステップと、
ｇ）新たなディジットが入力されたならば、前記比較するステップｂ）へ戻るステップと、
ｈ）新たなディジットが入力されないならば、前記サーチするステップｄ）へ戻るステップとを具備することを特徴とする方法。
【請求項２】
ａ）請求項１のディジットを入力するステップａ）の後に、第１の既定の期間待機するステップと、
ｂ）前記第１の既定の期間中に追加のディジットが入力されれば、前記待機するステップへ戻り、前記第１の既定の期間を再初期化するステップと、
ｃ）前記第１の既定の期間中に追加のディジットが入力されなければ、請求項１の比較するステップｂ）へ進むステップとをさらに具備することをさらに特徴とする請求項１記載の方法。
【請求項３】
ａ）前記方法は、全ての電話番号が或いは公衆の電話番号のみがサーチされるべきかに関する決定を設定するステップをさらに含み、
ｂ）前記決定が全ての電話番号がサーチされるべきと設定された場合は、請求項１のサーチするステップｄ）はリスト中の全ての電話番号をサーチするステップを含み、
ｃ）前記決定が公衆の電話番号のみがサーチされるべきと設定された場合は、請求項１のサーチするステップｄ）はリスト中の公衆の電話番号のみをサーチするステップを含むことをさらに特徴とする請求項１記載の方法。
【請求項４】
ａ）請求項１のサーチするステップｄ）の後で、もし前記サーチが完了しないならば、少なくとも１の他の機能がペンディングであるか判断するステップと、
ｂ）もしこのような機能がペンディングであれば、このような機能を実行するステップと、
ｃ）前記このような機能を実行するステップの後に、もしあれば、請求項１の判断するステップｆ）へ進むステップとをさらに含むことをさらに特徴とする請求項１記載の方法。
【請求項５】
ａ）請求項１の前記選択するステップｃ)の後に、請求項1の前記比較するステップｂ）と前記選択するステップｃ）の間中に追加のディジットが入力されたかどうか判断するステップと、
ｂ）もし追加のディジットが入力されたならば、請求項１の前記比較するステップｂ）或いは前のステップへ戻るステップと、
ｃ）もし追加のディジットが入力されていないならば、請求項１の前記サーチするステップｄ）へ進むステップとをさらに含むことをさらに特徴とする請求項１記載の方法。
【請求項６】
名前を自動的に調べる装置であって、
ａ）ディジットを入力する手段と、
ｂ）入力されたディジットの番号と複数のリストとを比較する手段であって、
１）各リストは少なくとも１の電話番号を含み、
２）リスト中の各電話番号は既定の最小番号以上で既定の最大番号以下のディジットの番号を有し、前記最大番号は以下リストの「サイズ」と呼ばれ、
３）各リストはどの他のリストのサイズとは異なるサイズを有する、手段と、
ｃ）入力されたディジットの番号より大きいか或いは同じサイズの最小サイズのリストを選択する手段と、
ｄ）入力されたディジットに適合する選択されたディジットの電話番号に関して選択されたリストをサーチする手段と、
ｅ）サーチが完了すれば、どんな適合した番号も及び関連する名前を表示する手段と、
ｆ）サーチが完了しないならば、新たなディジットが入力されたか判断する手段と、
ｇ）新たなディジットが入力されたならば、前記比較する手段ｂ）へ戻る手段と、
ｈ）新たなディジットが入力されないならば、前記サーチする手段ｄ）へ戻る手段とを具備することを特徴とする装置。
【請求項７】
ａ）請求項６のディジットを入力する手段ａ）の動作後に、第１の既定の期間待機する手段と、
ｂ）前記第１の既定の期間中に追加のディジットが入力されれば、前記待機する手段ａ）を動作し、前記第１の既定の期間を再初期化する手段と、
ｃ）前記第１の既定の期間中に追加のディジットが入力されなければ、請求項６の比較する手段ｂ）を動作し始める手段とをさらに含むことをさらに特徴とする請求項６記載の装置。
【請求項８】
ａ）全ての電話番号が或いは公衆の電話番号のみがサーチされるべきかに関する決定を設定する手段と、
ｂ）前記決定が全ての電話番号がサーチされるべきと設定されたならば、請求項６のサーチする手段ｄ）においてリスト中の全ての電話番号をサーチする手段と、
ｃ）前記決定が公衆の電話番号のみがサーチされるべきと設定されたならば、請求項６のサーチする手段ｄ）においてリスト中の公衆の電話番号のみをサーチする手段とをさらに含むことをさらに特徴とする請求項６記載の装置。
【請求項９】
ａ）請求項６のサーチする手段ｄ）の動作の後で、もし前記サーチが完了しないならば、少なくとも１の他の機能がペンディングであるか判断する手段と、
ｂ）もしそのような機能がペンディングであれば、そのような機能を実行する手段と、
ｃ）前記そのような機能を実行する手段の動作の後に、もしあれば、請求項６の判断する手段ｆ）へ進む手段とをさらに含むことをさらに特徴とする請求項６記載の装置。
【請求項１０】
ａ）請求項６の前記選択する手段ｃ)の動作の後に、請求項６の前記比較する手段ｂ）と前記選択する手段ｃ）の動作の間中に追加のディジットが入力されたかどうかを判断する手段と、
ｂ）もし追加のディジットが入力されたならば、請求項６の前記比較する手段ｂ）或いは前に動作された手段へ戻る手段と、
ｃ）もし追加のディジットが入力されていないならば、請求項６の前記サーチする手段ｄ）の動作へ進む手段とをさらに含むことをさらに特徴とする請求項６記載の装置。
【請求項１１】
ユーザインタフェースと、ソフトウエアと、複数の電話番号のリストとを具備する電話において、前記ソフトウエアは、
ａ）ユーザインタフェースへのディジットの入力を受け、
ｂ）入力されたディジットの番号と複数のリストとを比較し、
１）各リストは少なくとも１の電話番号を含み、
２）リスト中の各電話番号は既定の最小番号以上で既定の最大番号以下のディジットの番号を有し、前記最大番号は以下リストの「サイズ」と呼ばれ、
３）各リストはどの他のリストのサイズとは異なるサイズを有し、
ｃ）入力されたディジットの番号より大きいか或いは同じサイズの最小サイズのリストを選択し、
ｄ）入力されたディジットに適合する選択されたディジットの電話番号に関して選択されたリストをサーチし、
ｅ）サーチが完了すれば、ユーザインタフェースにおいて、どんな適合した番号及び関連する名前を表示し、
ｆ）サーチが完了しないならば、新たなディジットが入力されたかどうかを判断し、
ｇ）新たなディジットが入力されたならば、前記比較するステップｂ）へ戻り、
ｈ）新たなディジットが入力されないならば、前記サーチするステップｄ）へ戻るように構成されていることを特徴とする電話。
【請求項１２】
前記ソフトウエアは、
ａ）請求項１１のディジットの入力ステップａ）の後に、第１の既定の期間待機し、
ｂ）前記第１の既定の期間中に追加のディジットが入力されれば、前記待機するステップへ戻り、前記第１の既定の期間を再初期化し、
ｃ）前記第１の既定の期間中に追加のディジットが入力されなければ、請求項１１の比較するステップｂ）へ進むようにさらに構成されていることをさらに特徴とする請求項１１記載の電話。
【請求項１３】
前記ソフトウエアは、
ａ）全ての電話番号が或いは公衆の電話番号のみがサーチされるべきかに関する決定を設定し、
ｂ）前記決定が全ての電話番号がサーチされるべきと設定されたならば、請求項１１のサーチするステップｄ）においてリスト中の全ての電話番号をサーチし、
ｃ）前記決定が公衆の電話番号のみがサーチされるべきと設定されたならば、請求項１１のサーチするステップｄ）においてリスト中の公衆の電話番号のみをサーチするようにさらに構成されていることをさらに特徴とする請求項１１記載の電話。
【請求項１４】
前記ソフトウエアは、
ａ）請求項１１のサーチするステップｄ）の後で、もし前記サーチが完了しないならば、少なくとも１の他の機能がペンディングであるかを判断し、
ｂ）もしそのような機能がペンディングであれば、そのような機能を実行し、
ｃ）前記そのような機能を実行するステップの後に、もしあれば、請求項１１の判断するステップｆ）へ進むようにさらに構成されていることをさらに特徴とする請求項１１記載の電話。
【請求項１５】
前記ソフトウエアは、
ａ）請求項１１の前記選択するステップｃ)の後に、請求項１１の前記比較するステップｂ）と前記選択するステップｃ）の間中に追加のディジットが入力されたかどうかを判断し、
ｂ）もし追加のディジットが入力されたならば、請求項１１の前記比較するステップｂ）或いは前のステップへ戻り、
ｃ）もし追加のディジットが入力されていないならば、請求項１１の前記サーチするステップｄ）へ進むようにさらに構成されていることをさらに特徴とする請求項１１記載の電話。